(57)【要約】【課題】カラスを効果的に追い払うことが可能なカラス害防除装置を提供する。【解決手段】このカラス害防除装置は、可聴周波数よりも低い所定の周波数でパルス信号を発生するパルス発生回路１と、パルス信号を増幅する増幅器２と、増幅されたパルス信号に応答してパルス的に音を発生し、カラスを追い払うスピーカ３とを備える。カラスは、超低周波数の音を嫌って飛び去る。【選択図】図１
2012010603.tif 000002
【特許請求の範囲】
【請求項１】
可聴周波数よりも低い予め定められた周波数でパルス信号を発生するパルス発生回路と、
前記パルス信号に応答して音を発生し、カラスを追い払う音発生手段とを備える、カラス害防除装置。
【請求項２】
前記パルス発生回路は、
前記予め定められた周波数で点滅する自己点滅型発光素子と、
直流電源の正極および負極間に前記自己点滅型発光素子と直列接続された抵抗素子とを含み、
前記パルス信号は前記抵抗素子の端子間に出力される、請求項１に記載のカラス害防除装置。
【請求項３】
前記音発生手段はスピーカまたはブザーである、請求項１または請求項２に記載のカラス害防除装置。
【請求項４】
可聴周波数よりも低い予め定められた周波数でパルス的に音を発生してカラスを追い払う、カラス害防除方法。
【発明の詳細な説明】
【技術分野】
【０００１】
この発明はカラス害防除装置およびカラス害防除方法に関し、特に、カラスの害を防除するカラス害防除装置およびカラス害防除方法に関する。
【背景技術】
【０００２】
近年、ゴミ収集場所に出されたゴミ袋がカラスによって破られ、ゴミ収集の手間が増えたり、街の美観が損なわれるなどの被害が顕著になっている。このため、カラスを追い払うための種々の装置が提案されている。
【０００３】
たとえば特許文献１（特開２００９−１５９９４３号公報）には、周波数が１０ＫＨｚから５０ＫＨｚまで変化するパルス信号を所定の周期で発生し、そのパルス信号に基づいて音声を発生し、カラスを撃退する装置が開示されている。
【０００４】
また、特許文献２（特開２００９−１３６２１４号公報）には、１ＫＨｚ〜２ＫＨｚの人口音声、カラスが逃避（警戒、争い、または威嚇）する際に発生する音声から選ばれた複数の音声を発生するカラス忌避装置が開示されている。
【先行技術文献】
【特許文献】
【０００５】
【特許文献１】特開２００９−１５９９４３号公報
【特許文献２】特開２００９−１３６２１４号公報
【発明の概要】
【発明が解決しようとする課題】
【０００６】
しかし、特許文献１，２の装置では、カラスの防除効果が十分に満足の行くものではなかった。
【０００７】
それゆえに、この発明の主たる目的は、カラスを効果的に追い払うことが可能なカラス害防除装置およびカラス害防除方法を提供することである。
【課題を解決するための手段】
【０００８】
この発明に係るカラス害防除装置は、可聴周波数よりも低い予め定められた周波数でパルス信号を発生するパルス発生回路と、パルス信号に応答して音を発生し、カラスを追い払う音発生手段とを備えたものである。
【０００９】
好ましくは、パルス発生回路は、予め定められた周波数で点滅する自己点滅型発光素子と、直流電源の正極および負極間に自己点滅型発光素子と直列接続された抵抗素子とを含み、パルス信号は抵抗素子の端子間に出力される。
【００１０】
また好ましくは、音発生手段はスピーカまたはブザーである。
この発明に係るカラス害防除方法は、可聴周波数よりも低い予め定められた周波数でパルス的に音を発生してカラスを追い払うものである。
【発明の効果】
【００１１】
この発明に係るカラス害防除装置および方法では、可聴周波数よりも低い超低周波数でパルス的に音を発生することにより、カラスを効果的に追い払うことができた。
【図面の簡単な説明】
【００１２】
【図１】この発明の実施の形態１によるカラス害防除装置の構成を示すブロック図である。
【図２】図１に示したカラス害防除装置の使用方法を例示する図である。
【図３】図１に示したカラス害防除装置の効果を説明するための図である。
【図４】この発明の実施の形態２によるカラス害防除装置の構成を示す回路ブロック図である。
【発明を実施するための形態】
【００１３】
[実施の形態１]
図１は、この発明の実施の形態１によるカラス害防除装置の構成を示すブロック図である。図１において、このカラス害防除装置は、パルス発生回路１、増幅器２、およびスピーカ３を備える。パルス発生回路１は、可聴周波数よりも低い所定の周波数のパルス信号を発生する。可聴周波数は、２０Ｈｚ〜２０ＭＨｚである。パルス信号の周波数は、たとえば１６Ｈｚである。パルス信号の波形は、たとえばデューティ比が５０％の矩形波である。ただし、パルス信号の波形は、三角波でもよいし、のこぎり波でもよい。増幅器２は、パルス信号を増幅してスピーカ３の入力端子に与える。増幅器２としては、１０Ｗのものを使用した。
【００１４】
スピーカ３は、入力端子の電圧に従ってパルス的に音を発生し、カラスを追い払う。スピーカ３は、入力端子の電圧変化に応答して振動するボイスコイルと、ボイスコイルに結合された振動板を含むものでもよいし、入力端子の電圧変化に応じて伸縮する圧電素子と、圧電素子に接合された振動板とを含むものでもよいし、どのような方式のものでもよい。また、スピーカ３の代わりにブザーを設けてもよい。
【００１５】
図２は、このカラス害防除装置の使用方法を例示する図である。図２において、Ａ１はカラスの飛来箇所であり、電柱の頂点である。ゴミ収集日には、電柱の基端部Ｂに複数のゴミ袋が置かれる。電柱は幅６ｍの道路の一方側にあり、道路を挟んで電柱の反対側に本願発明者の自宅がある。自宅の２階の窓際の観測点Ｐ１に、図１のカラス防除装置を配置した。観測点Ｐ１から見て、斜め上の４５度の方向にカラスの飛来箇所Ａ１がある。その飛来箇所Ａ１に向けてスピーカ３を配置した。
【００１６】
カラスは夜に活動しないので、カラス防除装置の電源は夜明けの３０分程前にオンし、日暮れにオフした。電源のオン／オフは、手動で行なってもよいし、タイマーを用いて自動的に行なうことも可能である。
【００１７】
従来は、飛来箇所Ａ１にパトロールのカラスが来た後、カラスの集団が襲来してゴミ袋を破り、ゴミ袋内の残飯を漁った。これにより、ゴミ収集の手間が増えたり、街の美観が損なわれるなどの被害が顕著であった。
【００１８】
しかし、カラス防除装置を設置した後、パトロールのカラスが飛来箇所Ａ１に時々来るものの、カラスの集団によってゴミ袋が破られる被害は無くなった。これは、カラスがスピーカ３で発生する音を嫌ったものと考えられる。
【００１９】
なお、このカラス害防除装置によれば、ゴミ収集場所に来るカラスだけでなく、農作物を荒らすカラスや、送電線の鉄柱に巣を作るカラスなども追い払うことができることは言うまでもない。
【００２０】
次に、本願発明の経緯および効果について説明する。一般に、カラスは１００ｍ位の上空から１羽あるいは２羽で縄張りをパトロールした後、仲間を集めて２０〜３０羽の集団でゴミ収集場所を襲う。このパトロールのカラスは、近くの森や昼間は民家の植え込みに居る。カラスは、小鳥ではなく大型の鳥であり、相当な量の餌を必要とする。この餌の元を注意深く断つことが必要である。
【００２１】
このことを踏まえて、カラスを追い払う努力をすることが大切である。パトロールのカラスが危険を察知して逃げるようにし、カラスの集団が来ないようにすることが大切である。本願発明者は、このような考えに基づき、パトロールのカラスと集団のカラスの行動を観察した。
【００２２】
本願発明者の自宅を目指してカラスが飛来する箇所は、図３に示すように、４箇所である。第１の飛来箇所Ａ１は、図２でも示したように、自宅の２階東側の観測点Ｐ１の直近の電柱の頂点である。第２の飛来箇所Ａ２は、自宅の南東方向５０ｍ先のマンション屋上の避雷針である。第３の飛来箇所Ａ３は、自宅の南方向７０ｍ先のマンション屋上の水槽タンクである。第４の飛来箇所Ａ４は、自宅の南西方向５０ｍ先のマンション屋上のテレビアンテナである。第２〜第４の飛来箇所Ａ２〜Ａ４は、自宅の２階南側ベランダの東の観測点Ｐ２から見渡せる箇所である。
【００２３】
本願発明者は、平成８年３月１日から１３年間、観測点Ｐ１，Ｐ２に自己点滅型赤色ＬＥＤ（Light Emitting Diode：発光ダイオード）を置いて、視覚的脅威をカラスに与えてきた。ＬＥＤの設置当初はカラスを追い払うことができた。しかし、次第にカラスはＬＥＤに慣れ、第２〜第４の飛来箇所Ａ２〜Ａ４にまず来て、次に第１の飛来箇所Ａ１に襲来した。ＬＥＤの数を増やしても、カラスは慣れた。
【００２４】
平成２１年１月１８日から１年１ヶ月間、観測点Ｐ１にパルス発生回路１、増幅器２、およびスピーカ３を追加し、２０Ｈｚよりも高い可聴周波数から数ＭＨｚまでの種々の周波数でパルス的に音を発生した。この音も当初は効果があったが、次第にカラスは慣れ、第１〜第４の飛来箇所へのカラスの襲来は続いた。
【００２５】
平成２２年２月１５日から現在までの数ヶ月間、観測点Ｐ１のパルス発生回路１の発振周波数を２０Ｈｚよりも低い超低周波数に設定した。また、観測点Ｐ１，Ｐ２のＬＥＤを全て撤去した。第１の飛来箇所Ａ１に時折、１羽または２羽のパトロールのカラスが来るが、直ぐに逃げ去る。従来はカラスの集団が来ていた第２〜第４の飛来箇所Ａ２〜Ａ４にも、カラスは来ていない。
【００２６】
これは、パトロールのカラスが逃げ去る結果、そのカラスが集団を呼んでくる段階に入っていないからである、と判断している。周知のように矩形波のパルス信号は基本波（１６Ｈｚ）と多数の高調波を含んでいる。低周波数のパルス波から出る高調波がパトロールのカラスの脳神経に何らかの影響を与えていると考えられる。何次の高調波の周波数の音がカラスを追い払うのに有効かを調べることは、今後の研究課題である。
【００２７】
[実施の形態２]
図４は、この発明の実施の形態２によるカラス害防除装置の構成を示す回路ブロック図である。図１において、このカラス害防除装置は、図１のパルス発生回路１を直流電源４、スイッチ５、抵抗素子６、および自己点滅型ＬＥＤで置換したものである。直流電源４の正極は、スイッチ５および抵抗素子６を介して自己点滅型ＬＥＤ７のアノードに接続される。自己点滅型ＬＥＤ７のカソードは、直流電源４の負極に接続される。
【００２８】
直流電源４は、所定の直流電圧（たとえば、６Ｖ）を出力する。直流電源４は、電池でもよいし、コンセントを介して供給される商用交流電力を直流電力に変換するものでもよい。抵抗素子６の抵抗値は、１２０Ωである。自己点滅型ＬＥＤ７は、発振回路を内蔵しており、２．４Ｈｚで点滅し、赤色の光を出射する。増幅器２は、抵抗素子６の端子間に現れるパルス信号（端子間電圧）を増幅してスピーカ３の入力端子に与える。スピーカ３は、増幅されたパルス信号に応答してパルス的に音を発生し、カラスを追い払う。
【００２９】
自己点滅型ＬＥＤ７としては、たとえば、市販のＳＡＮＤＥＲ  ＳＤＬ−５Ｍ３ＳＯＬ−ＩＣが使用可能である。この自己点滅型ＬＥＤは、波長が６２５ｎｍの赤色の光を出射し、５Ｖを印加すると２．４Ｈｚで点滅する。３Ｖ〜９Ｖの電源電圧で駆動させることが可能である。
【００３０】
このカラス害防除装置を図２の観測点Ｐ１に配置し、スピーカ３をカラスの飛来箇所Ａ１に向けた。スイッチ５をオンすると、自己点滅型ＬＥＤ７が点滅し、抵抗素子６の端子間にはデューティ比が５０％で２．６Ｈｚの矩形波のパルス信号が発生した。このパルス信号は、増幅器２によって増幅されてスピーカ３の入力端子に供給され、スピーカ３はパルス信号に応答してパルス的に音を発生した。
【００３１】
この場合も、実施の形態１と同様、パトロールのカラスは飛来箇所Ａ１に時々来るが、直ぐに飛び去った。このため、カラスの集団によってゴミ袋が破られる被害は無くなった。これは、スピーカ３で発生する２．６Ｈｚのパルス波をカラスが嫌ったものと考えられる。この実施の形態２によれば、カラス害防除装置を簡単に構成することができる。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３３】
１  パルス発生回路、２  増幅器、３  スピーカ、４  直流電源、５  スイッチ、６  抵抗素子、７  自己点滅型ＬＥＤ。
【図１】
2012010603.tif 000003
【図２】
2012010603.tif 000004
【図３】
2012010603.tif 000005
【図４】
2012010603.tif 000006